(57)【要約】【課題】冷却効率が良好である光源装置、及び長時間使用した場合にも光源装置が高温となることが抑制される投影型画像表示装置を提供する。【解決手段】光源装置３０は筐体３１内に内壁部材５０を有し、その周囲に、前壁４０、他側壁６０、及び背壁７０を有する。光源２１のリフレクタ２２は、背面の略２分の１がリフレクタ放熱部９０のリフレクタ被覆部９０ａにより覆われている。リフレクタ被覆部９０ａの後端部は開口しており、リフレクタ被覆部９０ａの後端側には、円筒部及びブロック部材を包囲するように後端側へ延びる、円筒状の延設部９０ｂが設けられている。延設部９０ｂは背壁７０に当接しており、光源２１の熱は延設部９０ｂを介して背壁７０から放熱される。【選択図】図３
2007140385.tif 000002
【特許請求の範囲】
【請求項１】
放電発光が行われる発光体と、該発光体が発する光を反射させる凹状のリフレクタとを有する光源、及び該光源を収納する直方体状の収納箱を備え、該収納箱は前記光源が発する光を通過させる開口部を有する前壁と、該前壁に対向する背壁と、前記光源の側方に配される側壁とを周囲に有する光源装置において、
前記リフレクタの背面の少なくとも中央部側を覆うリフレクタ被覆部と、前記リフレクタの凹み方向に沿って延びるように前記リフレクタ被覆部の背面に延設された延設部とを有するリフレクタ放熱部を備えており、
前記延設部の端面に対向する前記収納箱の背壁に、前記延設部を当接してあることを特徴とする光源装置。
【請求項２】
前記背壁は、該背壁の外面及び内面のうちの少なくとも一面に壁フィンを複数有する請求項１に記載の光源装置。
【請求項３】
放電発光が行われる発光体と、該発光体が発する光を反射させる凹状のリフレクタとを有する光源、及び該光源を収納する直方体状の収納箱を備え、該収納箱は前記光源が発する光を通過させる開口部を有する前壁と、該前壁に対向する背壁と、前記光源の側方に配される側壁とを周囲に有する光源装置において、
前記リフレクタの背面の少なくとも中央部側を覆うリフレクタ被覆部を有するリフレクタ放熱部を備えており、
該リフレクタ放熱部の側部に対向する前記収納箱の側壁に、前記リフレクタ放熱部を接続してあることを特徴とする光源装置。
【請求項４】
前記側壁は、該側壁の外面及び内面のうちの少なくとも一面に壁フィンを複数有する請求項３に記載の光源装置。
【請求項５】
放電発光が行われる発光体と、該発光体が発する光を反射させる凹状のリフレクタとを有する光源、及び該光源を収納する直方体状の収納箱を備え、該収納箱は前記光源が発する光を通過させる開口部を有する前壁と、該前壁に対向する背壁と、前記光源の側方に配される側壁とを周囲に有する光源装置において、
前記リフレクタの背面の少なくとも中央部側を覆うリフレクタ被覆部と、前記リフレクタの凹み方向に沿って延びるように前記リフレクタ被覆部の背面に延設された延設部とを有するリフレクタ放熱部を備えており、
前記延設部の端面に対向する前記収納箱の背壁に、前記延設部を当接してあり、
前記リフレクタ放熱部の側部に対向する前記収納箱の側壁に、前記リフレクタ放熱部を接続してあることを特徴とする光源装置。
【請求項６】
前記延設部は、筒状である請求項１、２及び５のいずれかひとつに記載の光源装置。
【請求項７】
前記延設部は、前記リフレクタの凹み方向に沿って延びる、複数の板からなる請求項１、２及び５のいずれかひとつに記載の光源装置。
【請求項８】
前記リフレクタ放熱部は、該リフレクタ放熱部の外面に、鉛直方向に延びる放熱部フィンを複数備える請求項１乃至７のいずれかひとつに記載の光源装置。
【請求項９】
前記リフレクタ放熱部は、前記背壁と一体に形成してある請求項１、２、５、６及び７のいずれかひとつに記載の光源装置。
【請求項１０】
前記リフレクタ放熱部は、前記側壁と一体に形成してある請求項３、４、５、６及び７のいずれかひとつに記載の光源装置。
【請求項１１】
前記収納箱の背壁に間隔を隔てて対向する内壁と、
前記収納箱の側壁に間隔を隔てて対向する内壁と
を有する内壁部材を備える請求項１乃至８のいずれかひとつに記載の光源装置。
【請求項１２】
請求項１乃至１１のいずれかひとつに記載の光源装置と、
該光源装置が有する発光体から発せられる光で画像に係る変調光を生成する空間光変調素子と、
該空間光変調素子が生成した変調光を被投影体へ投影する投影レンズと
を備えることを特徴とする投影型画像表示装置。
【発明の詳細な説明】
【技術分野】
【０００１】
本発明は、冷却効率が良好である光源装置及び投影型画像表示装置に関する。
【背景技術】
【０００２】
光源を用いて生成した画像に係る変調光をスクリーンに投影してスクリーン上に画像表示を行うプロジェクタには、変調光の投影方式に応じてフロントプロジェクション方式と、リアプロジェクションテレビに代表されるリアプロジェクション方式とがある。この投影型画像表示装置に用いられる光源としては、色再現性が優れた精細な画像表示のために高輝度であることが要求されており、メタルハライドランプ及び高圧水銀ランプ等の放電式の発光体（ランプ）を凹状のリフレクタに取り付けたものがよく用いられている。
【０００３】
光源の発光体は、管内に電極を収めると共に水銀、ハロゲンガス等を封入し、点灯時には管内圧力が１５０気圧を越えるため、何らかの要因により発光体を形成する管が破裂すると大音量の破裂音が発生し、封入物及び管のガラス片等が飛散する。そのため、リフレクタの開口側をガラス板又は光学レンズ等で閉鎖し、破裂音及び封入物等の漏洩を防ぐ防爆仕様の光源がある。
【０００４】
光源は一般的に、光軸が規定の方向に合うように収納箱に収納されて、光源装置としてユニット化されることが多い。
【０００５】
また、光源は使用中、発光に伴い高温（最も高温になる管のチャンバー部で約１０００℃）になるので、発光体の中央に設けられているチャンバー部の後端部からリフレクタの底部に沿って設けられた熱伝導用接触体を備える光源装置が存在する（特許文献１）。そして、リフレクタの光束射出開口部を覆うように設けられ、外側に放熱フィンが形成されたカバー部材を備える光源装置が存在する（特許文献２）。また、リフレクタの光束射出開口部に設けられたフランジに突設した４本のパイプに、複数のフィンを備える光源装置が存在する（特許文献３）。
【特許文献１】特開２００５−７１８１４号公報
【特許文献２】特開２００５−９９６７９号公報
【特許文献３】特開２０００−１３１７６４号公報
【発明の開示】
【発明が解決しようとする課題】
【０００６】
特許文献１乃至３に係る光源装置では、光源装置の光源を収納してある収納箱の外側に向かって熱が伝導されず、冷却効率が不充分であるという問題がある。
【０００７】
本発明は、斯かる問題に鑑みてなされたものであり、冷却効率が良好である光源装置、及び長時間使用した場合にも光源装置が高温となることが抑制される投影型画像表示装置を提供することを目的とする。
【課題を解決するための手段】
【０００８】
上記課題を解決するために本発明に係る光源装置は、放電発光が行われる発光体と、該発光体が発する光を反射させる凹状のリフレクタとを有する光源、及び該光源を収納する直方体状の収納箱を備え、該収納箱は前記光源が発する光を通過させる開口部を有する前壁と、該前壁に対向する背壁と、前記光源の側方に配される側壁とを周囲に有する光源装置において、前記リフレクタの背面の少なくとも中央部側を覆うリフレクタ被覆部と、前記リフレクタの凹み方向に沿って延びるように前記リフレクタ被覆部の背面に延設された延設部とを有するリフレクタ放熱部を備えており、前記延設部の端面に対向する前記収納箱の背壁に、前記延設部を当接してあることを特徴とする。
本発明においては、発光に伴い高温になるリフレクタに直接、リフレクタ被覆部を設けてあるので、光源の熱がリフレクタ被覆部に伝導する。そして、延設部が背壁に当接されているので、延設部から背壁へ良好に熱が伝導し、リフレクタの背面側から良好に放熱されるので、冷却効率が良好である。
【０００９】
本発明の光源装置は、前記背壁が、該背壁の外面及び内面のうちの少なくとも一面に壁フィンを複数有することを特徴とする。
本発明においては、背壁が壁フィンを備えるので、外部空気又は内部空気と接触出来る面積を増大させることが出来、装置内の空気から背壁への熱移動を高められると共に、装置外では背壁に移動してきた熱の放熱性を高めることが出来る。
【００１０】
本発明の光源装置は、放電発光が行われる発光体と、該発光体が発する光を反射させる凹状のリフレクタとを有する光源、及び該光源を収納する直方体状の収納箱を備え、該収納箱は前記光源が発する光を通過させる開口部を有する前壁と、該前壁に対向する背壁と、前記光源の側方に配される側壁とを周囲に有する光源装置において、前記リフレクタの背面の少なくとも中央部側を覆うリフレクタ被覆部を有するリフレクタ放熱部を備えており、該リフレクタ放熱部の側部に対向する前記収納箱の側壁に、前記リフレクタ放熱部を接続してあることを特徴とする。
本発明においては、発光に伴い高温になるリフレクタに直接、リフレクタ被覆部を設けてあるので、光源の熱がリフレクタ被覆部に伝導する。そして、リフレクタ放熱部が側壁に接続してあるので、延設部から側壁へ良好に熱が伝導し、リフレクタの側方から良好に放熱され、冷却効率が良好である。
【００１１】
本発明の光源装置は、前記側壁が、該側壁の外面及び内面のうちの少なくとも一面に壁フィンを複数有することを特徴とする。
本発明においては、側壁が壁フィンを備えるので、外部空気又は内部空気と接触出来る面積を増大させることが出来、装置内の空気から側壁への熱移動を高められると共に、装置外では側壁に移動してきた熱の放熱性を高めることが出来る。
【００１２】
本発明の光源装置は、放電発光が行われる発光体と、該発光体が発する光を反射させる凹状のリフレクタとを有する光源、及び該光源を収納する直方体状の収納箱を備え、該収納箱は前記光源が発する光を通過させる開口部を有する前壁と、該前壁に対向する背壁と、前記光源の側方に配される側壁とを周囲に有する光源装置において、前記リフレクタの背面の少なくとも中央部側を覆うリフレクタ被覆部と、前記リフレクタの凹み方向に沿って延びるように前記リフレクタ被覆部の背面に延設された延設部とを有するリフレクタ放熱部を備えており、前記延設部の端面に対向する前記収納箱の背壁に、前記延設部を当接してあり、前記リフレクタ放熱部の側部に対向する前記収納箱の側壁に、前記リフレクタ放熱部を接続してあることを特徴とする。
本発明においては、発光に伴い高温になるリフレクタに直接、リフレクタ被覆部を設けてあるので、光源の熱がリフレクタ被覆部に伝導する。そして、延設部が背壁に当接してあり、リフレクタ放熱部が側壁に接続してあるので、リフレクタ放熱部から背壁へ良好に熱が伝導するとともに、側壁へも良好に熱が伝導され、リフレクタの背面側及び側方から良好に放熱される。
【００１３】
本発明の光源装置は、前記延設部が筒状であることを特徴とする。
本発明においては、装置に導入される空気と接触する面積を大きくすることが出来、また、装置の壁面と接触させて熱伝導により放熱することが出来、冷却効率が良好である。
【００１４】
本発明の光源装置は、前記延設部が、前記リフレクタの凹み方向に沿って延びる、複数の板からなることを特徴とする。
本発明においては、装置に導入される空気と接触する面積を大きくすることが出来、また、装置の壁面と接触させて熱伝導により放熱することが出来、冷却効率が良好である。
【００１５】
本発明の光源装置は、前記リフレクタ放熱部が、該リフレクタ放熱部の外面に、鉛直方向に延びる放熱部フィンを複数備えることを特徴とする。
被覆部フィンにより、装置に導入され、上昇する空気と接触する面積をさらに大きくすることが出来、冷却効率が良好である。
【００１６】
本発明の光源装置は、前記リフレクタ放熱部が、前記背壁と一体に形成してあることを特徴とする。
本発明においては、リフレクタ放熱部から背壁にさらに良好に熱が伝導し、放熱される。
【００１７】
本発明の光源装置は、前記リフレクタ放熱部が、前記側壁と一体に形成してあることを特徴とする。
本発明においては、リフレクタ放熱部から側壁にさらに良好に熱が伝導し、放熱される。
【００１８】
本発明の光源装置は、前記収納箱の背壁に間隔を隔てて対向する内壁と、前記収納箱の側壁に間隔を隔てて対向する内壁とを有する内壁部材を備えることを特徴とする。
本発明においては、内部壁材を設け、該内部壁材と収納箱の内壁との空間に気体を流すことで、各空間を流れる気体は、前記内壁と接触しながら進行し、内壁は発光体及びリフレクタを冷却した気体に比べて温度が低いため、気体が空間を通過する間に内壁と連続的に接触して気体の熱が内壁へ移動するという熱伝導が継続的に生じ、気体から効率良く熱を奪うことが可能になる。その結果、熱が奪われて温度の下がった気体で再度、高温のリフレクタ等を冷却でき、密閉した構造の収納箱を有する光源装置でも充分な冷却性を持続できる。
【００１９】
本発明の投影型画像表示装置は、上記のいずれかひとつの光源装置と、該光源装置が有する発光体から発せられる光で画像に係る変調光を生成する空間光変調素子と、該空間光変調素子が生成した変調光を被投影体へ投影する投影レンズとを備えることを特徴とする。
本発明においては、長時間使用しても光源装置が高温となることが抑制される。
【発明の効果】
【００２０】
本発明の光源装置によれば、発光に伴い高温になるリフレクタに直接、リフレクタ被覆部を設けてあるので、光源の熱がリフレクタ被覆部に伝導する。そして、リフレクタ放熱部が収納箱の背壁又は側壁に接続されているので、リフレクタ放熱部から壁へ良好に熱が伝導し、リフレクタの背面側又は側方から良好に放熱され、冷却効率が良好である。
【００２１】
本発明の投影型画像表示装置によれば、長時間使用しても光源装置が高温となることが抑制される。
【発明を実施するための最良の形態】
【００２２】
実施の形態１．
図１（ａ）は、本発明の実施形態に係るリアプロジェクション装置１（投影型画像表示装置）を示す断面図である。
【００２３】
リアプロジェクション装置１は、外観的には下部筐体２及び上部筐体３を組み合わせた構成であり、下部筐体２は内部に、投影レンズ１２を通じて画像を表す変調光の投影処理を行う光学ユニット１０、装置の全体的な制御処理を行う制御ユニット５、及び各ユニットへ給電を行う給電ユニット４などを収納している。また、上部筐体３は、背面壁部３ａの内面側に反射ミラー１ａを取り付けると共に、前面側の枠部３ｂ内にスクリーン１ｂ（被投影体に相当）を取り付けている。上記構成によりリアプロジェクション装置１では、投影レンズ１２から投影した画像を表す変調光が反射ミラー１ａでスクリーン１ｂへ反射され、スクリーン１ｂに画像を表示する。
【００２４】
図１（ｂ）は、図１（ａ）のＡ−Ａ線における断面図である。光学ユニット１０はベースプレート１０ａ上に、ランプユニット２０、空間光変調素子１４を内含する光学エンジン１３、及び光学エンジン１３に対する処理回路を含む基板回路部１５を載置している。ランプユニット２０は、ランプハウジング８０の内部に光源２１を含む光源装置３０を装着している。また、ランプユニット２０は、下部筐体２の背壁部２ａの吸気開口２ｂより吸気ダクト６を通じて光源装置３０を冷却するための空気（気体）を吸引すると共に、冷却により高温になった空気（熱）を排気ダクト７を通じて斜背壁部２ｃの排気開口２ｄから外方へ排出するように構成されている。
【００２５】
光学エンジン１３は内部に、光源２１からの光を通過及び反射させる種々の光学系の透光部材を収納しており、各透光部材の通過及び反射により空間光変調素子１４へ光を導き、基板回路部１５の制御処理に基づき空間光変調素子１４で画像を表す変調光を生成する。さらに、光学エンジン１３は、出光箇所に投影レンズ１２を所定の角度で取り付けており、生成した変調光を投影レンズ１２から投影する。
【００２６】
図２は、光学ユニット１０のランプユニット２０を構成するランプハウジング８０及び光源装置３０を分解した状態を示している。ランプハウジング８０は、開口した出入口８１ｃから光源装置３０を装着するボックス状のハウジング８１、及びハウジング８１の内部の空気（気体）を吸引する吸引ファン８５を有する。なお、図２で示すＸＹＺ座標におけるＺ軸は光源装置３０（光源２１）の光軸と平行的な方向を示し、Ｘ軸はＺ軸に直交し且つ光源装置３０をハウジング８１へ装着する方向と平行的な方向を示し、Ｙ軸はＸ軸及びＺ軸で構成される平面（ＸＺ平面）に直交する方向を示す（以下、同様）。
【００２７】
ハウジング８１は、基本的に出入口８１ｃ以外の周囲を被う構造であり、光学ユニット１３へ接合される側の壁部８１ａに光源装置３０が発する光を通過させるための光通過口８１ｂを形成している。また、ハウジング８１は、出入口８１ｃに対向する周壁部８１ｅの外面に吸引ファン８５を取り付けている。
【００２８】
さらに、ハウジング８１には、出入口８１ｃの上下の周縁部にメスコネクタ８３、８４を取り付けられている。メスコネクタ８３は光源２１への給電用のコネクタであり、メスコネクタ８４は、光源装置３０に取り付けられた循環ファン２９への給電用のコネクタである。
【００２９】
さらにまた、ハウジング８１には、出入口８１ｃのメスコネクタ８３、８４を取り付けた箇所を除く四方の周縁に、吸引ガイド部８２が外方へ突設されている。吸引ガイド部８２は、周囲外方へ広がるように傾斜した内面を有しており、ハウジング８１の吸引ファン８５が作動すると、出入口８１ｃの周囲外方に存在する空気をハウジング８１の内部へスムーズに導くと共に、光源装置３０をランプハウジング８０に装着する際のガイドの役目も果たしている。
【００３０】
一方、光源装置３０は、図２乃至図４に示すように、六面体状の筐体３１に光源２１を収納するように構成されており、筐体３１は光源２１が発する光を通過させる孔４１ｂを形成した前壁４０、筐体３１内の空気（気体）を循環させる循環ファン２９を外面に取り付けた一側壁３０ａ、前壁４０に対向する背壁７０、及び一側壁３０ａに対向する他側壁６０を周囲に備える。筐体３１は一側壁３０ａを二分割しており、周囲方向で前壁４０に連なる側を前方部４２とすると共に、背壁７０に連なる側を後方部３４としており、この後方部３４の外面３４ａに循環ファン２９を取り付けている。
【００３１】
図３に示す他側壁６０は、板状部材の壁部６１の外面６１ａに複数の外フィン６２を突設すると共に、内面６１ｂに複数の内フィン（壁フィン）６３を突設している。両フィン６２、６３は、共に筐体３１の他側壁６０の取り付け箇所における周方向（Ｚ軸方向）に延在しており、内フィン６３のピッチは、外フィン６２のピッチに比べて狭くされている。
【００３２】
また、複数の内フィン６３の中で高さ方向（Ｙ軸方向）における中央付近６３ａに位置するものは、端部を前方に延出している。このようにすることで、リフレクタ２２を通過して排出側の通過部２２ｂから出た空気は、図５に示す前壁４０のＹ軸方向で上下に広がる流入部４０ｃにおいて、端部が延出した内フィン６３の影響で高さ方向の中央付近６３ａでの通過抵抗を大きくして空気が上下方向へ流れやすくし、狭い通過部２２ｂを抜けた空気を上下に万遍なく拡散させる。なお、外フィン６２及び内フィン６３を有する他側壁６０は放熱性を良好にするために、アルミニウムで一体形成されている。
【００３３】
背壁７０は、基本的に他側壁６０と同様の構造及び材質を有しており、壁部７１の外面７１ａには複数の外フィン７２が突設され、内面７１ｂには複数の内フィン７３が突設されている。内面７１ｂに、後述するリフレクタ放熱部２２の延設部２２ｂの円弧状の端面が当接されるように、中央側の内フィン７３の中央部は円状に欠けた状態にされている。側壁６０と同様に、内フィン７３のピッチは、外フィン７２のピッチに比べて狭くされている。また、背壁７０は、筐体３１に対して係合で取り付けられるようにしており、壁部７１の上辺部７１ｃ及び下辺部７１ｄに２個ずつの係合突起７４、７５を突設している。
【００３４】
筐体３１は、内部に他側壁６０、背壁７０、及び後方部３４と対向する内壁部材５０を収納しており、内壁部材５０の案内により各壁６０、７０沿いに空気を循環させて、各壁６０、７０から放熱させるように構成されている（図４）。
【００３５】
筐体３１の前壁４０は図３に示すように、前方部４２と一体された平面視で略Ｌ字状の部材であり、前壁４０及び前方部４２は鉄に比べて熱伝導率が高いアルミニウム（ＡＤＣ１２）を材料にしてキャスティング（アルミダイキャスト）で一体形成されている。また、前壁４０には、板状の壁板部４１の外面４１ａに複数の外フィン４４を一体に設けており、複数の外フィン４４はＸ軸方向（前壁４０における周囲方向）に沿って延在している。一方、前方部４２には循環ファン２９の排出口２９ａと接続されるダクト部４３が一体に設けられており、ダクト部４３の外表面にＹ軸方向に延在するダクトフィン４５がダクト部４３と一体に形成されている。
【００３６】
前壁４０の内面４１ｃ側には光源２１が取り付けられている。本実施形態の光源２１は防爆仕様であり、図３及び図４に示すように凹状のリフレクタ２２内に発光体２４を取り付けると共に、リフレクタ２２の反射側の開口２２ｃに円板状の防爆ガラス２３を取り付けてある。リフレクタ２２は、所要の曲率を有する内周面側を反射面にすると共に外周部における対向箇所に通気部２２ａ、２２ｂが穿設され、さらに外周壁の頂部に発光体２４の端部を取り付ける円筒部２２ｄが突設されている。
【００３７】
リフレクタ２２の円筒部２２ｄは端部にはブロック部材２５が取り付けられており、ブロック部材２５は発光体２４に導通接続する給電線ｄを有している。なお、給電線ｄは端部にコネクタＣ１が取り付けられており、前方部４２に設けられた切欠４２ｆを通じて外方へ延出している（図２参照）。また、円筒部２２ｄに一端が取り付けられた発光体２４は、具体的にはメタルハライドランプ及び高圧水銀ランプ等が相当し、長手方向（Ｚ軸方向）の中央に球状に拡径したチャンバー部２６を有すると共に、チャンバー部２６の前後は封止部２４ａ、２４ｂとしている。このような構成の光源２１は、リフレクタ２２の開口側の周縁が前壁４０に接するように取り付けられる。
【００３８】
リフレクタ２２は、背面の略２分の１がリフレクタ放熱部９０のリフレクタ被覆部９０ａにより覆われている。リフレクタ被覆部９０ａの後端部は開口しており、リフレクタ被覆部９０ａの後端側には、円筒部２２ｄ及びブロック部材２５を包囲するように後端側へ延びる、円筒状の延設部９０ｂが設けられている。上述したように、背壁７０の内フィン７３の中央部は欠けているので、この円状に欠けた部分に、延設部９０ｂの端面が当接されている。延設部９０ｂの一側壁３０ａに対向する側には、窓９０ｃが設けられており、発光体２４に導通接続された給電線ｄが窓９０ｃから延設部９０ｂの外に引き出されている。
【００３９】
図５は、光源２１を取り外した状態の前壁４０の内面４１ｃ側からの斜視図であり、内面４１ｃは、孔４１ｂの周囲四箇所に光源２１のリフレクタ２２を囲む壁部４０ｂを立設すると共に、四箇所の壁部４０ｂより外方にはＹ軸方向に延在する内フィン４０ａを立設している。
【００４０】
また、図５中の右側の上下の壁部４０ｂは、内面４１ｃの右端側で上下（Ｙ軸方向）に延在する気流案内壁４０ｄと連続しており、気流案内壁４０ｄで囲まれた部分を、光源２１のリフレクタ２２に設けられた排出側の通気部２２ｂ（図４参照）を通過した空気が流れ込むように構成されている。
【００４１】
図４に示すように、前壁４０の内面４１ｃに取り付けられた光源２１のリフレクタ２２の周囲外方は、内壁部材５０で閉鎖された閉鎖空間Ｈとなり、前壁４０の内面４１ｃの内フィン４０ａを形成した部分が閉鎖空間Ｈに表出する。また、閉鎖空間Ｈはリフレクタ２２の熱により空気が下から上へ昇る自然対流が生じ、内フィン４０ａは自然対流に沿った方向（Ｙ軸方向）に延在するため、自然対流を乱すことなく内フィン４０ａで閉鎖空間Ｈとの接触面積を増大し、閉鎖空間Ｈ内の熱を前壁４０へ移動できるようにしている。
【００４２】
上述した前壁４０及び前方部４２が取り付けられる筐体３１は、図３に示すように天板部３２、一側壁３０ａ（図２参照）の一部を形成する後方部３４、及び底板部３３が連結されて一体に形成されており、Ｚ軸方向から見るとコ字状になっている。なお、筐体３１は、材料として、アルミニウムより熱伝導率が低い鉄が用いられており、光源２１で発生した熱が筐体３１には伝わりにくくして、後方部３４に取り付けられた循環ファン２９が熱の影響を受けないようにしている。
【００４３】
天板部３２及び底板部３３は、ほぼ上下対称に形成されており、前壁４０を取り付ける側の縁部分には前壁用ネジ穴部３１ａが設けられ、他側壁６０を取り付ける側の縁部分には側壁用ネジ穴部３１ｂが設けられ、背壁７０を取り付ける側の縁部分には切欠溝３５、３６が形成されており、内面側には内壁部材５０を位置決め固定するための凸部３８、３９が突設されている。
【００４４】
また、筐体３１の側方の後方部３４は、外面３４に取り付けた循環ファン２９の排出口２９ａの近傍箇所から前方へ突出する突出片３７を設けている。この突出片３７は根元部３７ａと、先端を屈曲させた先端部３７ｂを有しており、根元部３７ａは、図５に示すダクト部４３の開口４３ａをふさいでダクト部４３における空気の経路を形成し（図４参照）、先端部３７ｂはダクト溝４６をふさいでダクト溝４６における空気の経路を形成している（図４参照）。
【００４５】
図３に示す内壁部材５０は、筐体３１が組み立てられた状態で他側壁６０の壁部６１の内面６１ｂに間隔を隔てて対向する第１内壁５１、背壁７０の壁部７１の内面７１ｂに間隔を隔てて対向する第２内壁５２、後方部３４の内面３４ｂに間隔を隔てて対向する第３内壁５３、及び第３内壁５３の端部を屈曲させた屈曲壁部５４により一体で構成されている（図４参照）。
【００４６】
第１内壁５１は、前方側となる端部の中央付近に閉鎖板部５１ｃを突設しており、この閉鎖板部５１ｃは、図５に示す前壁４０の内面４１ｃに設けられた流入部４０ｃのリフレクタ２２側の開口範囲を閉鎖して、リフレクタ２２の通気部２２ｂから出た空気の経路を形成するものである。なお、第１内壁５１には、上下端部に屈曲板部５５、５６を形成されており、各屈曲板部５５、５６には穴５５ａ、５５ｂ、５６ａ、５６ｂが設けられている。
【００４７】
第２内壁５２の中央部には、リフレクタ放熱部９０の延設部９０ｂを貫通させて、背壁７０の内面７１ｂに当接させるために、貫通孔５２ａが設けられている。
内壁部材５０の屈曲壁部５４は端部に折曲部５８を形成しており、この折曲部５８に突設された係合片５８ａ、５８ｂは、筐体３１の後方部３４に設けられた係合部に挿入係合される（図３参照）。
【００４８】
次に、上述した光源２１、並びに筐体３１を構成する前壁４０、内壁部材５０、他側壁６０、及び背壁７０を組み付けて光源装置３０を作成する手順を説明する。
まず、図３に示すように筐体３１の内部に内壁部材５０を入れ込んで係合固定する。この際、内壁部材５０の折曲部５８に設けた係合片５８ａ、５８ｂを、筐体３１の後方部３４に設けた係合部に挿入して係合すると共に、第１内壁５１の屈曲板部５５、５６の穴５５ａ、５５ｂ、５６ａ、５６ｂに、筐体３１の上下の凸部３８、３９をそれぞれ挿入し、筐体３１内に内壁部材５０を固定する。このように内壁部材５０の固定にはネジを一切使用していないので、ワンタッチで内壁部材５０を筐体３１へ取り付けることができる。
【００４９】
内壁部材５０の取り付け後は、光源２１を嵌め込んだリフレクタ放熱部９０を前壁４０の内面４１ｃに当接させた後、一体になった前壁４０及前方部４２を筐体３１の前端及び一側面側の前方にネジ止めにより固定する（図３参照）。
【００５０】
次に、背壁７０の係合突起７４（７５）を、筐体３１の切欠溝３５（３６）に嵌め込む。
【００５１】
最後に、他側壁６０を筐体３１にネジ止め固定し、他側壁６０の背部側端部で背壁７０の端面を抑え（図４参照）、光源２１のコネクタＣ１を前方部４２の上矩形穴４２ｃに嵌め込むと共に、循環ファン２９のファン用コネクタＣ２を下矩形穴４２ｄに嵌め込んで光源装置３０が完成する。
【００５２】
図４に示すように、完成した光源装置３０の内部では、他側壁６０と第１内壁５１との間に第１空間３０ｂが形成され、背壁７０と第２内壁５２との間に第２空間３０ｃが形成され後方部３４と第３内壁５３との間に第３空間３０ｄが形成される。そのため、循環ファン２９が作動すると、循環ファン２９から排出される空気がダクト部４３のダクト溝から光源２１のリフレクタ２２の内部へ入り、リフレクタ２２の内部で発光体２４を冷却して高温になった空気は、リフレクタ２２を出て第１空間３０ｂ、第２空間３０ｃ、及び第３空間３０ｄを通過して循環ファン２９に吸引されて筐体３１内を循環することになる。
【００５３】
このとき、高温になった空気は第１空間３０ｂ及び第２空間３０ｃを通過する際に、複数の内フィン６３、７３と広い面積で接するため、空気が有する熱は内フィン６３、７３を通じて他側壁６３、背壁７０へ移動し、空気は冷却される。なお、リフレクタ２２へ流入した空気は、上述したダクト溝４６により発光体２４のチャンバー部２６のトップ部分２６ａ及び封止部２４ａ側の先端へ流れ、これを冷却する。
【００５４】
また、光源２１自体が有する熱は、接している前壁４０へも移動し、前壁４０へ移動した熱は外フィン４４から外方へ放熱して光源２１の冷却効率を高めている。なお、ダクト部４３に伝わった熱も、ダクトフィン４５を通じて外部へ放熱される。
【００５５】
そして、本実施形態においては、リフレクタ放熱部９０のリフレクタ被覆部９０ａがリフレクタ２２を直接覆っているので、発光体２４及びリフレクタ２２の熱がリフレクタ被覆部９０ａに伝導し、延設部９０が背壁７０に当接しているので、延設部９０ｂから背壁７０へ良好に熱が伝導し、リフレクタ２２の背面側からも良好に放熱され、冷却効率が良好である。そして、リフレクタ放熱部９０は、内壁部材５０と、他側壁６３、背壁７０及び後方部３４との間を流れる空気により冷却される。
なお、リフレクタ被覆部９０ａは、リフレクタ２２の背面の２分の１を覆う場合には限定されない。また、光源装置３０は、内壁部材５０を有しなくてもよいが、内壁部材５０を有する方が冷却効率が良好である。
【００５６】
完成した光源装置３０は、図２に示すようにランプハウジング８０のハウジング８１に装着され、ハウジング８１に設けられたメスコネクタ８３、８４に光源装置のコネクタＣ１及びファン用コネクタＣ２が接合されてランプユニット２０が完成する。
【００５７】
さらに、完成したランプユニット２０は、光学ユニット１０に組み込まれてから、図１（ａ）（ｂ）に示す下部筐体２に収められる。下部筐体２に収められると、ランプハウジング８０の吸引ガイド部８２が、下部筐体２に設けられた吸気ダクト６に接合されると共に、ランプハウジング８０の排出部に下部筐体２の排気ダクト７が接合されて、ランプユニット２０に関するリアプロジェクション装置１への取付が完了する。
【００５８】
ランプハウジング８０に取り付けられた吸引ファン８５が作動すると、下部筐体２の吸気開口２ｂから装置外方の空気が取り込まれて吸気ダクト６を通じてハウジング８１の内部へ流れ込む。このとき空気は、ハウジング８１と光源装置３１の間の隙間を流れるため、隙間に突設している光源装置３１の外フィン４４、及び外フィン６２、外フィン７２と広い面積で接することになる。また、外フィン４４、及び外フィン６２、７２は光源装置３１の内部の熱が伝達されてくるので、外フィン４４、及び外フィン６２、７２が、流れる空気と広い面積で接し、外フィン４４、及び外フィン６２、７２の熱が空気により効率良く奪われる。
【００５９】
実施の形態２．
実施の形態２に係るリアプロジェクション装置は、実施の形態１に係るリアプロジェクション装置１とリフレクタ放熱部の構成が異なり、内壁部材５０及び背壁７０を有しない他は、実施の形態１のリアプロジェクション装置と同一の部材を有する。
【００６０】
図６は、実施の形態２のリアプロジェクション装置に係るリフレクタ放熱部９１を示す斜視図である。図中、実施の形態１のリアプロジェクション装置と同一部分は同一符号を付してある。
【００６１】
このリフレクタ放熱部９１は、リフレクタ２２の背面の略２分の１を覆うリフレクタ被覆部９１ａと、リフレクタ被覆部９１ａの後端側に設けられ、円筒部２２ｄ及びブロック部材２５を包囲するように後端側へ延びる円筒状の延設部９１ｂと、延設部９１ｂの後端面を塞ぐように連設された背板部９１ｃとを備えている。背板部９１ｃの内側には、水平方向に延びる内フィン９１ｄ，９１ｄ…が並設されており、背板部９１ｃの外側には、水平方向に延びる外フィン９１ｅ，９１ｅ…が並設されている。延設部９１ｂの一側壁３０ａに対向する側には、窓９１ｆが設けられており、発光体２４に導通接続された給電線ｄが窓９１ｆから延設部９１ｂの外に引き出されるようにされている。
リフレクタ放熱部９１は、アルミダイキャストにより一体形成されている。
そして、本実施形態においては、背壁７０の代わりに背板部９１ｃが筐体３１に嵌め込まれる。
【００６２】
本実施形態においては、延設部９１ｂが背板部９１ｃに連設されているので、リフレクタ２２からリフレクタ被覆部９１ａに伝導した熱が、延設部９１ｂを介して良好に背板部９１ｃに伝導され、背板部９１ｃから放熱される。
【００６３】
実施の形態３．
実施の形態３に係るリアプロジェクション装置は、実施の形態１に係るリアプロジェクション装置１とリフレクタ放熱部の構成が異なり、内壁部材５０及び背壁７０を有しない他は、実施の形態１のリアプロジェクション装置と同一の部材を有する。
【００６４】
図７は、実施の形態３のリアプロジェクション装置に係るリフレクタ放熱部９２を示す斜視図である。
【００６５】
このリフレクタ放熱部９２は、リフレクタ２２の背面の略２分の１を覆うリフレクタ被覆部９２ａと、リフレクタ被覆部９２ａの外面に設けられ、鉛直方向に延びる放熱部フィン９２ｂ、９２ｂ…と、リフレクタ被覆部９２ａの後端側に設けられ、円筒部２２ｄ及びブロック部材２５を包囲するように後端側へ延びる円筒状の延設部９２ｃと、延設部９２ｃの後端面を塞ぐように連設された背板部９２ｄとを備えている。背板部９２ｄの内側には、水平方向に延びる内フィン９２ｅ，９２ｅ…が並設されており、背板部９２ｄの外側には、水平方向に延びる外フィン９２ｆ，９２ｆ…が並設されている。延設部９２ｃの一側壁３０ａに対向する側には、窓９２ｇが設けられており、発光体２４に導通接続された給電線ｄが窓９２ｇから延設部９２ｃの外に引き出されるようにされている。
リフレクタ放熱部９２は、アルミダイキャストにより一体形成されている。
そして、本実施形態においては、背壁７０の代わりに背板部９２ｄが筐体３１に嵌め込まれる。
【００６６】
本実施形態においては、リフレクタ被覆部９２ａの外面に、鉛直方向に延びる複数の放熱部フィン９２ｂが設けられており、放熱部フィン９２ｂの延在方向が、内壁部材５０の内部空間を流れる上昇気流の方向と一致しているので、リフレクタ被覆部９２ａは放熱部フィン９２ｂの延びる方向に沿って、上昇気流との接触面積を大きくした状態で、効果的に冷却される。
【００６７】
なお、リフレクタ放熱部９２は一体形成されている場合に限定されず、延設部９２ｃが背板部９２ｄと分離しており、リフレクタ放熱部９２を内壁部材５０で包囲し、延設部９２ｃが内壁部材５０の第２内壁５２を貫通した状態で、背板部９２ｄに当接されるような構成も可能である。また、放熱部フィン９２ｂはリフレクタ被覆部９２ａの外面に設ける場合に限定されず、延設部９２ｃの外面に設けてもよい。
【００６８】
実施の形態４．
実施の形態４に係るリアプロジェクション装置は、実施の形態１に係るリアプロジェクション装置１とリフレクタ放熱部の構成が異なり、内壁部材５０及び背壁７０を有しない他は、実施の形態１のリアプロジェクション装置と同一の部材を有する。
【００６９】
図８は、実施の形態４のリアプロジェクション装置に係るリフレクタ放熱部９３を示す斜視図である。
【００７０】
このリフレクタ放熱部９３は、リフレクタ２２の背面の略２分の１を覆うリフレクタ被覆部９３ａと、リフレクタ被覆部９３ａの後端側に設けられ、円筒部２２ｄ及びブロック部材２５を包囲するように後端側へ延びる横板部９３ｂ，９３ｂと、横板部９３ｂ，９３ｂの端面が連設された背板部９３ｃとを備えている。背板部９３ｃの内側には、水平方向に延びる内フィン９３ｄ，９３ｄ…が並設されており、背板部９３ｃの外側には、水平方向に延びる外フィン９３ｅ，９３ｅ…が並設されている。
リフレクタ放熱部９３は、アルミダイキャストにより一体形成されている。
そして、本実施形態においては、背壁７０の代わりに背板部９３ｄが筐体３１に嵌め込まれる。
【００７１】
本実施形態においては、横板部９３ｂが背板部９３ｃに連設されているので、リフレクタ２２からリフレクタ被覆部９３ａに伝導した熱が、横板部９３ｂを介して良好に背板部９３ｃに伝導され、背板部９３ｃから良好に放熱される。
【００７２】
なお、横板部９３ｂの数は２枚に限定されるものではなく、横板部９３ｂ間に、リフレクタ２２の円筒部２２ｄ及びブロック部材２５が配され得る枚数であればよい。
また、リフレクタ放熱部９３は一体形成されている場合に限定されず、横板部９３ｂが背板部９３ｃと分離しており、リフレクタ放熱部９３を内壁部材５０で包囲し、横板部９３ｂが内壁部材５０の第２内壁５２を貫通した状態で、背板部９３ｃに当接されるような構成も可能である。
【００７３】
実施の形態５．
実施の形態５に係るリアプロジェクション装置は、実施の形態１に係るリアプロジェクション装置１とリフレクタ放熱部の構成が異なり、内壁部材５０及び他側壁６０を有しない他は、実施の形態１のリアプロジェクション装置と同一の部材を有する。
【００７４】
図９は、実施の形態５のリアプロジェクション装置に係るリフレクタ放熱部９４を示す斜視図である。
【００７５】
このリフレクタ放熱部９４は、リフレクタ２２の背面の略２分の１を覆うリフレクタ被覆部９４ａと、リフレクタ被覆部９４ａの後端側に設けられ、円筒部２２ｄ及びブロック部材２５を包囲するように後端側へ延びる円筒状の延設部９４ｂと、延設部９４ｂの側方に設けられた側板部９４ｃと、側板部９４ｃの内面に設けられ、水平方向に延びて延設部９４ｂに連設されたフィン９４ｄ，９４ｄ…とを備えている。側板部９４ｃの内面の、延設部９４ｂに連設されない位置に設けられるフィン９４ｄは、奥行きの長さを短くしてある。側板部９４ｃの外側には、外フィン９４ｅ，９４ｅ…が並設されている。延設部９４ｂの一側壁３０ａに対向する側には、窓９４ｆが設けられており、発光体２４に導通接続された給電線ｄが窓９４ｆから延設部９４ｂの外に引き出されるようにされている。
リフレクタ放熱部９４は、アルミダイキャストにより一体形成されている。
【００７６】
本実施形態においては、延設部９４ｂが側板部９４ｃに連設されているので、リフレクタ２２から延設部９４ｂに伝導された熱が、フィン９４ｄを介して良好に側板部９４ｃに伝導され、側板部９４ｃから放熱される。
なお、リフレクタ放熱部９４は一体形成されている場合に限定されず、フィン９４ｄが側板部９４ｃから分離しており、リフレクタ放熱部９４を内壁部材５０で包囲し、フィン９４ｄが内壁部材５０の第１内壁５１を貫通した状態で、側板部９４ｃに当接されるような構成も可能である。
【００７７】
実施の形態６．
実施の形態６に係るリアプロジェクション装置は、実施の形態１に係るリアプロジェクション装置１とリフレクタ放熱部の構成が異なる他は、実施の形態１のリアプロジェクション装置と同一の部材を有する。
【００７８】
図１０は、実施の形態６のリアプロジェクション装置に係るリフレクタ放熱部９５を示す斜視図である。
このリフレクタ放熱部９５は、リフレクタ２２の背面の略２分の１を覆うリフレクタ被覆部９５ａと、リフレクタ被覆部９５ａの後端側に設けられ、円筒部２２ｄ及びブロック部材２５を包囲するように後端側へ延びる円筒状の延設部９５ｂと、延設部９５ｂの側方の外面に、延設部９５ｂの長手方向に交叉する方向に突設された横延接部９５ｃと、延設部９５ｂの一側壁３０ａに対向する側に設けられた窓９５ｄとを備える。
リフレクタ放熱部９５は、アルミダイキャストにより一体形成されている。
【００７９】
リフレクタ放熱部９５は、横延設部９５ｃが内壁部材５０の第１内壁５１を貫通した状態で、他側壁６０に当接され、延設部９５ｂが内壁部材５０の第２内壁５２を貫通した状態で、背壁７０に当接されて、筐体３１内へ取り付けられる。
【００８０】
本実施形態においては、延設部９５ｂが背壁７０に当接されるので、リフレクタ２２から延設部９５ｂに伝導された熱が、背壁７０から良好に放熱される。また、横延設部９５ｃが他側壁６０に当接されるので、リフレクタ２２から横延設部９５ｃに伝導された熱が、他側壁６０から良好に放熱され、冷却効率が良好である。
【００８１】
なお、光源装置３０が内壁部材５０を有さず、リフレクタ放熱部９５が、背壁７０及び他側壁６０のうちの少なくとも一方に連設される構成にしてもよい。
【００８２】
さらに、本発明に係る構成は、図１（ａ）（ｂ）に示すリアプロジェクション方式のリアプロジェクション装置１以外にもフロントプロジェクション方式の投影型画像表示装置にも適用可能である。
【図面の簡単な説明】
【００８３】
【図１】（ａ）は本発明の実施形態に係るリアプロジェクション装置の断面図であり、（ｂ）は（ａ）のＡ−Ａ線における断面図である。
【図２】光学ユニットの分解斜視図である。
【図３】光源装置の分解斜視図である。
【図４】図２のＢ−Ｂ線における光源装置の断面図である。
【図５】光源を取り外した状態の前壁の内面側からの斜視図である。
【図６】実施の形態２に係るリフレクタ放熱部を示す斜視図である。
【図７】実施の形態３に係るリフレクタ放熱部を示す斜視図である。
【図８】実施の形態４に係るリフレクタ放熱部を示す斜視図である。
【図９】実施の形態５に係るリフレクタ放熱部を示す斜視図である。
【図１０】実施の形態６に係るリフレクタ放熱部を示す斜視図である。
【符号の説明】
【００８４】
１  リアプロジェクション装置
１０  光学ユニット
２０  ランプユニット
２１  光源
２２  リフレクタ
２２ａ、２２ｂ  通気部
２４  発光体
２９  循環ファン
３０  光源装置
３１  筐体
３４  後方部
４０  前壁
４２  前方部
４３  ダクト部
５０  内壁部材
５１  第１内壁
５２  第２内壁
５３  第３内壁
６０  他側壁
６２、７２  外フィン
６３、７３  内フィン
７０  背壁
８０  ランプハウジング
９０、９１、９２、９３、９４、９５  リフレクタ放熱部
９０ａ、９１ａ、９２ａ、９３ａ、９４ａ、９５ａ  リフレクタ被覆部
９０ｂ、９１ｂ、９２ｃ、９３ｂ、９４ｂ、９５ｂ  延設部
９０ｃ、９１ｆ、９２ｇ、９４ｆ、９５ｄ  窓
９２ｂ  放熱部フィン
９１ｃ、９２ｄ、９３ｃ  背板部
９１ｄ、９２ｅ、９３ｄ  内フィン
９１ｅ、９２ｆ、９３ｅ、９４ｅ  外フィン
９４ｃ  側板部
９４ｄ  フィン
９５ｃ  横延設部
【図１】
2007140385.tif 000003
【図２】
2007140385.tif 000004
【図３】
2007140385.tif 000005
【図４】
2007140385.tif 000006
【図５】
2007140385.tif 000007
【図６】
2007140385.tif 000008
【図７】
2007140385.tif 000009
【図８】
2007140385.tif 000010
【図９】
2007140385.tif 000011
【図１０】
2007140385.tif 000012